(57)【要約】【課題】照射方向を変更する際の使用者の操作性を良好にすることができる照明装置を提供する。【解決手段】ＬＥＤ２２と、ＬＥＤ２２を保持する光源保持部１１と、ＬＥＤ２２からの光の照射方向の変更が可能な照射方向変更手段とを備える照明装置１００において、前記照射方向変更手段は、光源保持部１１に対して独立して可動に設けてある。照射方向変更手段は、例えば、ＬＥＤ２２の光出射方向に沿う軸回りに回転可能な回転部材５と、ＬＥＤ２２の光出射方向に交差する軸回りに回動可能な首振り部材６とを備えてなる。光の照射方向を変更する際に、ＬＥＤ２２を含む光源モジュール２が非可動部分となるから、可動部分が軽くなり、照射方向を変更する際の使用者の操作性を良好にできる。【選択図】図３
2011165566.tif 000002
【特許請求の範囲】
【請求項１】
光源と、該光源を保持する保持体と、前記光源からの光の照射方向の変更が可能な照射方向変更手段とを備える照明装置において、
前記照射方向変更手段は、前記保持体に対して独立して可動に設けてあることを特徴とする照明装置。
【請求項２】
天井等の被装着部に設けられた取付穴に挿入して取付けられる照明装置であって、
前記取付穴に挿入される有底筒状の外装体と、
該外装体の底面に設けられるＬＥＤからなる光源と、
該光源からの光の照射方向の変更が可能な照射方向変更手段とを備え、
前記照射方向変更手段は、前記外装体に対して独立して可動に設けてあることを特徴とする照明装置。
【請求項３】
前記照射方向変更手段は、前記光源の光出射方向に交差する軸回りに回動可能な首振り部材を備えることを特徴とする請求項１又は２に記載の照明装置。
【請求項４】
前記首振り部材は、内側に反射面を有する筒状であることを特徴とする請求項３に記載の照明装置。
【請求項５】
前記照射方向変更手段は、前記光源の光出射方向に沿う軸回りに回転可能な回転部材を備えることを特徴とする請求項１から４の何れか一つに記載の照明装置。
【請求項６】
前記照射方向変更手段は、前記光源からの光を偏向する光偏向板を備えることを特徴とする請求項１から５の何れか一つに記載の照明装置。
【発明の詳細な説明】
【技術分野】
【０００１】
本発明は、光源からの光の照射方向の変更が可能な照明装置に関する。
【背景技術】
【０００２】
従来、光の照射方向の変更が可能なように構成された照明装置として、光源を有する光源ユニットを枠体に回動可能に保持する照明装置が提案されている（例えば、特許文献１参照）。
【０００３】
特許文献１に開示された照明器具は、光源が内装された略球状の灯具７０３と、該灯具７０３を回動自在に保持する枠状の器具本体７０２と、灯具７０３に対して、その上部から押える板ばね等の弾性体７０４とを備えている（図１３参照）。灯具７０３は、放熱部が形成された略半球状の上部材７３１と、光源、該光源の出射光を集光するレンズ、光反射リフレクタ等が設けられた略半球状の下部材（図示せず）とを備えてなる。この照明器具は、灯具７０３の下部材を使用者が手で掴んで、灯具７０３の球中心の回りに傾けることにより、光の照射方向を変更することが可能である。
【先行技術文献】
【特許文献】
【０００４】
【特許文献１】特開２００５−１４９７９０号公報
【発明の概要】
【発明が解決しようとする課題】
【０００５】
ところが、特許文献１に係る照明器具は、放熱部を含む上部材７３１と、光源等が設けられた下部材とを有する灯具７０３全体を回動させるように構成してあるから、照明器具に占める可動部分の割合が大きいため、可動部分が重くなる。可動部分が重いと、使用者が手で掴んで可動部分の保持力に逆らって動かす際に力を要し、照射方向を変更する際の操作性が悪いという問題があった。
【０００６】
本発明は斯かる事情に鑑みてなされたものであり、照射方向を変更する際の使用者の操作性を良好にすることができる照明装置を提供することを目的とする。
【課題を解決するための手段】
【０００７】
本発明に係る照明装置は、光源と、該光源を保持する保持体と、前記光源からの光の照射方向の変更が可能な照射方向変更手段とを備える照明装置において、前記照射方向変更手段は、前記保持体に対して独立して可動に設けてあることを特徴とする。
【０００８】
本発明にあっては、光源からの光の照射方向の変更が可能な照射方向変更手段を、前記光源を保持する保持体に対して独立して可動に設けてある。光の照射方向を変更する際に、光源が非可動部分となるから、可動部分が軽くなり、照射方向を変更する際の使用者の操作性を良好にできる。また、可動部分が軽くなるから、該可動部分を支える構造を小型化、簡易化することができる。また、使用者が掴む可動部分に光源が含まれないから、光源に電力を供給する電線が干渉しないように、また使用者が感電しないように構造を工夫する必要がないから、構造を簡易化することができる。
【０００９】
本発明に係る照明装置は、天井等の被装着部に設けられた取付穴に挿入して取付けられる照明装置であって、前記取付穴に挿入される有底筒状の外装体と、該外装体の底面に設けられるＬＥＤからなる光源と、該光源からの光の照射方向の変更が可能な照射方向変更手段とを備え、前記照射方向変更手段は、前記外装体に対して独立して可動に設けてあることを特徴とする。
【００１０】
本発明にあっては、有底筒状の外装体の底面に光源を設け、該光源からの光の照射方向の変更が可能な照射方向変更手段を外装体に対して独立して可能に設けてある。光の照射方向を変更する際に、光源が非可動部分となるから、可動部分が軽くなり、照射方向を変更する際の使用者の操作性を良好にできる。また、可動部分が軽くなるから、該可動部分を支える構造を小型化、簡易化することができる。また、使用者が掴む可動部分に光源が含まれないから、光源に電力を供給する電線が干渉しないように、また使用者が感電しないように構造を工夫する必要がないから、構造を簡易化することができる。そして、照射方向変更手段を操作した場合においても、照射方向変更手段が外装体に独立して可動できるように構成してあるから、照明装置が設置される室内と天井裏とを連通する通気路が形成されることがなく、気密性を保つことが可能となる。
【００１１】
本発明に係る照明装置は、前記照射方向変更手段は、前記光源の光出射方向に交差する軸回りに回動可能な首振り部材を備えることを特徴とする。
【００１２】
本発明にあっては、前記光源の光出射方向に交差する軸回りに回動可能な首振り部材を前記照射方向変更手段が備えている。首振り部材を回動させることにより、光源から出射された光を所望の方向に偏向させることが可能となり、照明装置の照射方向を変更することができる。照射方向変更手段を、首振り部材を回動させるという簡易な機構にすることができ、部品点数を低減することができる。
【００１３】
本発明に係る照明装置は、前記首振り部材は、内側に反射面を有する筒状であることを特徴とする。
【００１４】
本発明にあっては、前記首振り部材を内側に反射面を有する筒状に形成してあり、前記光源から出射された光は首振り部材の内側の反射面において反射して回動角度に応じて定まる方向に偏向される。首振り部材が筒状であるから、照射方向変更手段を軽量にすることができる。軽量化により、使用者の操作性を良好にすることができ、また首振り部材を支持する構造を小型化、簡易化することができる。
【００１５】
本発明に係る照明装置は、前記照射方向変更手段は、前記光源の光出射方向に沿う軸回りに回転可能な回転部材を備えることを特徴とする。
【００１６】
本発明にあっては、光源の光出射方向に沿う軸回りに回転可能な回転部材を照射方向変更手段が備えている。光源からの光を変更する光偏向部材を設ける等、回転部材を適切に構成することにより、回転部材の回転に応じて、照射方向を変更することができる。照射方向変更手段を、回転部材を回転させるという簡易な機構にすることができ、部品点数を低減することができる。また、首振り部材と組合せて構成することにより、回転部材と首振り部材という簡易な構成にて、照射方向を自在に変更することができる。
【００１７】
本発明に係る照明装置は、前記照射方向変更手段は、前記光源からの光を偏向する光偏向板を備えることを特徴とする。
【００１８】
本発明にあっては、光源からの光を偏向する光偏向板を照射方向変更手段が備えている。光偏向板を光源の光出射方向に回転可能に保持することにより、更に簡易な構成にて照射方向を変更することが可能となる。
【発明の効果】
【００１９】
本発明によれば、照射方向を変更する際の使用者の操作性を良好にすることができる。
【図面の簡単な説明】
【００２０】
【図１】本発明の実施の形態１に係る照明装置の外観斜視図である。
【図２】実施の形態１に係る照明装置の模式的分解斜視図である。
【図３】実施の形態１に係る照明装置の模式的断面図である。
【図４】実施の形態１に係る照明装置の模式的断面図である。
【図５】実施の形態１に係る照明装置を光源の側から見た模式図である。
【図６】実施の形態２に係る照明装置の模式的断面図である。
【図７】実施の形態２に係る照明装置の照射方向変更手段による照射方向の変化の説明図である。
【図８】実施の形態３に係る照明装置の模式的断面図である。
【図９】実施の形態４に係る照明装置の照射方向変更手段による照射方向の変化の説明図である。
【図１０】実施の形態４に係る照明装置の照射方向変更手段による照射方向の変化の説明図である。
【図１１】実施の形態５に係る照明装置の模式的断面図である。
【図１２】実施の形態６に係る照明装置の模式的断面図である。
【図１３】従来技術に係る照明装置の模式的外観斜視図である。
【発明を実施するための形態】
【００２１】
以下、本発明をその実施の形態を示す図面に基づいて詳述する。なお、照明装置として、照明装置本体の一部又は全体が天井等の被装着部に設けられた取付穴に挿入して埋込み設置される埋込型の照明装置であるダウンライトを例に、以下説明する。
（実施の形態１）
図１は、本発明の実施の形態１に係る照明装置１００の外観斜視図である。図２は、実施の形態１に係る照明装置１００の模式的分解斜視図である。図３及び図４は、実施の形態１に係る照明装置１００の模式的断面図である。図５は、実施の形態１に係る照明装置１００を光源の側から見た模式図である。
【００２２】
図中１は、光源等の発熱体からの熱を放散するヒートシンクである。ヒートシンク１は、光源を保持する光源保持部１１と、該光源保持部１１に連設して設けられた連設部１２と、光の照射方向を変更する照射方向変更手段を保持する変更手段保持部１３と、天井等の被装着部に設けられた取付穴の周縁部に当接する当接部１４と、前記光源保持部１１に関して変更手段保持部１３の反対側に設けられ、前記光源に電力を供給する電源部を収容する収容部１５とを備えている。ヒートシンク１は、光源保持部１１、連設部１２、変更手段保持部１３、当接部１４及び収容部１５が一体的に形成されており、光源を保持する保持体としての機能を有すると共に、照明装置の外装体としての機能を有する。また、光源保持部１１、連設部１２、変更手段保持部１３からなるヒートシンクの一部は、有底筒状の形状であり、底面に相当する光源保持部１１に光源を設けてある。なお、ヒートシンク１は、例えば、アルミニウム等の金属製である。
【００２３】
光源保持部１１は、円板状であり、該光源保持部１１の一面１１ａには、光源としてのＬＥＤ２２を有する光源モジュール２が取付けてある。光源モジュール２は、矩形板状をなすＬＥＤ基板２１と、該ＬＥＤ基板２１に実装された複数のＬＥＤ２２とを備えてなる。なお、ＬＥＤ基板２１のＬＥＤ２２の実装側と反対側の面には、コネクタ（図示せず）が設けてある。本実施の形態においては、ＬＥＤの数は８つであり、ＬＥＤ基板２１の中央に１つのＬＥＤ２２が実装してある。残りの７つのＬＥＤ２２，２２…は、図５に示すように、中央に設けたＬＥＤ２２を中心として周方向に適長離隔して実装してある。また、ＬＥＤ２２は、例えば、ＬＥＤ素子と、該ＬＥＤ素子を封止する封止樹脂と、入力端子及び出力端子とを備えてなる表面実装型のＬＥＤである。また、光源モジュール２と光源保持部１１との間には、伝熱シート又はグリースを介装する方がより望ましい。光源保持部１１は、ＬＥＤ２２からの熱をヒートシンク１の他の部分に伝達する伝熱部としても機能する。
【００２４】
連設部１２は、光源保持部１１の外周縁に連設され、該光源保持部１１に略平行をなし、中央に円穴を有する円板状である。なお、連設部１２は、後述する照射方向変更手段のＬＥＤ２２の光出射方向に沿う方向の移動を制限する制限部としても機能する。
【００２５】
変更手段保持部１３は、筒状を有し、連設部１２の外周縁に立設してある。変更手段保持部１３は、一端（連設部１２の側）から長手方向に沿って拡径された拡径部と、該拡径部に連設された円筒部とを有してなる。変更手段保持部１３の内側には、光の照射方向を変更する照射方向変更手段が外装体であるヒートシンク１に対して、換言するとＬＥＤ２２に対して独立して可動に設けてある。詳細については、後述する。
【００２６】
変更手段保持部１３の内面１３ａは、鏡面加工してあることがより望ましい。鏡面加工することにより、ＬＥＤ２２から出射され、照射方向変更手段等により反射され、変更手段保持部１３の内面１３ａに入射した光が内面１３ａにて反射され、ＬＥＤ２２の光出射方向に沿う方向に出射されることになり、照明器具全体としての光利用効率、いわゆる器具効率を向上することができる。変更手段保持部１３の外面１３ｂには、板ばね７を固定するネジ用穴を有する固定部１３ｃが周方向に適長離隔して設けてある。前記ネジ用穴は、変更手段保持部１３の長手方向の略中央に設けてある。板ばね７は、ステンレス鋼等の金属製であり、細長い矩形板を屈曲させて、図３に示すようにＶ字状に形成してある。
【００２７】
当接部１４は、変更手段保持部１３の円筒部の側の他端から直交する方向に径方向外向きに延設してなる鍔状に形成してある。
【００２８】
光源保持部１１を挟んだ変更手段保持部１３の反対側に設けられた収容部１５は、光源保持部１１の他面１１ｂに立設された周壁を有してなる。
【００２９】
以上のように構成されたヒートシンク１の光源保持部１１の一面１１ａには、反射板３が取付けてある。反射板３には、該反射板３をヒートシンク１に取付けたときにＬＥＤ２２に対応する位置に、複数の反射部３１が設けてあり、本実施の形態においては、反射板３の中央に１つの反射部３１が設けられ、中央に設けた反射部３１を中心として周方向に適長離隔して７つの反射部３１が設けてある。反射部３１は、ＬＥＤ２２を取り囲むように、略半球状の凹部を有しており、より詳細には、反射板３の平板部から該平板部に直交する方向に突設させてあり、反射板３の平板部から突設端部に向けて連続的に内径が縮径された縮径部と、該縮径部に設けられ、ＬＥＤ２２の光出射面と略同寸法の穴径を有する穴部とを有している。反射板３は、高い反射率を有する電気絶縁性の材料であり、例えば、ポリカーボネート樹脂製、アルミナ焼結体等である。また、反射板３の周縁部には、周壁が立設してあり、該周壁の外面には、周方向に適長離隔して複数の係合凹部が形成してある。
【００３０】
光源モジュール２の各ＬＥＤ２２からの光は、この反射板３の反射部３１にて反射されて、ＬＥＤ２２の光軸となす角度が所定角度（例えば、４５°）以下になる範囲に含まれる配光特性が制御された光が出射されることになる。
【００３１】
この反射板３には、化粧枠４が取付けてある。化粧枠４は、中央に開口を有する円板状である。化粧枠４の一面の周縁部には、複数の係止部が、周方向に適長離隔して立設してある。なお、化粧枠４は、ポリカーボネート樹脂製等の樹脂製である。化粧枠４は、化粧枠４の係止部を反射板３の係合凹部に係合させることにより、反射板３に取付けられる。
【００３２】
なお、本実施の形態においては、反射板３に化粧枠４を取付けているが、化粧枠４に代えて透光板を取付けてもよい。この場合、透光板は化粧枠４の開口部に光を透過する透光板部を形成すればよい。また反射板３及び化粧枠４間に透光板を挟持するように構成してもよい。
【００３３】
ヒートシンク１の変更手段保持部１３には、光の照射方向を変更する照射方向変更手段としての回転部材５及び首振り部材６が保持してある。回転部材５は、筒状を有し、一端から長手方向に沿って中央に向けて連続的に拡径された拡径部と、該拡径部に連設された円筒部とを有する筒部５１を備えている。筒部５１の内面５１ａは、高い反射率を有する反射面に形成してある。筒部５１の外面５１ｂの長手方向の略中央には、鍔部５２が周設してある。なお、鍔部５２の外径は、ヒートシンク１の変更手段保持部１３の内径よりも若干小さくなるように形成してある。また、筒部５１の外面５１ｂの他端部（円筒部側の端部）には、ネジ用穴が設けられた取付座５３が周方向に２等配して設けてある。
【００３４】
首振り部材６は、その一端から他端に向けて拡径された筒部６１を備えている。筒部６１は、図３及び４に示すように、周壁の縦断面形状が楕円形の一部をなす形状に形成してある。また、筒部６１は、周方向に沿って長手方向の長さを連続的に変化させてあり、周方向の一部（図４において右端部分）において最も短く、該一部の反対側（図４において左端部分）において最も長くなっている。即ち、筒部６１の内面６１ａは、楕円を長軸回りに回転してなる回転楕円面を、短軸を含む面及び該面に離隔して前記面に鋭角をなす面にて切出してなる部分回転楕円面である。この筒部６１の内面６１ａは、高い反射率を有する反射面に形成してある。筒部６１の外面６１ｂには、ネジ用穴が設けられた取付座６２が周方向に２等配して設けてある。取付座６２のネジ用穴は、筒部６１の長手方向の中央よりも短軸側になるように設けてある。
【００３５】
この首振り部材６は、取付座６２を回転部材５の取付座５３に整合させた状態にて、ネジ５６を各取付座に設けられたネジ用穴に螺合させることにより、ネジ５６の軸回りに回転可能に回転部材５に保持してある。なお、首振り部材６の取付座６２と回転部材５の内面５１ａとの間には、パッキン（図示せず）が介装してある。該パッキンは、首振り部材６を所望の角度まで回動させることができ、かつ該角度にて回転部材５に保持されるように、適切な摩擦が生じるように選定してある。なお、パッキンに限定されず、回転部材５及び首振り部材６間に適切な摩擦を生じさせることができる部材であればよい。
【００３６】
回転部材５及び首振り部材６が一体化された照射方向変更手段をヒートシンク１の変更手段保持部１３の内側に挿入し、板ばね７をヒートシンク１の固定部１３ｃに設けられたネジ用穴にネジ７６を螺合させることにより、ヒートシンク１に固定する。このように板ばね７をヒートシンク１に固定することにより、回転部材５は、長手方向がＬＥＤ２２の光出射方向に沿うように、鍔部５２にてネジ７６に保持されることになる。
【００３７】
この取付状態において、回転部材５の筒部５１を使用者が掴んで筒部５１の周方向に回転させたとき、回転部材５は、ヒートシンク１の変更手段保持部１３の内面１３ａをガイドとして周方向に、換言すると光源であるＬＥＤ２２の光出射方向に沿う軸回りに回転する。なお、回転部材５は、ネジ７６及びヒートシンク１の連設部１２によって、長手方向に移動することができる距離が制限される。一方、首振り部材６の筒部６１を使用者が掴んでネジ５６の軸回りに回転させたとき、首振り部材６は、ネジ５６の軸回りに、換言すると光源であるＬＥＤ２２の光出射方向に略直交（交差）する軸回りに回転する。なお、首振り部材６は、回転部材５の内面５１ａ及び化粧枠４によって、回転角度が制限される。首振り部材６の回動中心（取付座６２のネジ用穴）の位置は、首振り部材６の所望の回転角度に応じて適切に設定してある。例えば、本実施の形態よりも回転角度を大きくしたい場合は、取付座６２のネジ用穴を筒部６１の長手方向の縮径側（短軸側と反対側）にすればよい。
【００３８】
一方、ヒートシンク１の収容部１５には、電源部８が収容される。電源部８は矩形板状をなす回路基板８１と、該回路基板８１に実装された電子部品８２とを備えてなる。なお、図においては、電子部品８２をブロックにて略示しているが、トランス、抵抗、コンデンサ等の各種回路部品からなる。
【００３９】
電源部８は、カバー９に取付けてある。カバー９は、固定板部９１と、該固定板部９１の周縁に立設された複数の矩形板状の取付板部９２とを備えてなる。カバー９はアルミニウム、鉄等の金属製である。回路基板８１及び固定板部９１には、複数の貫通穴が形成してあり、該貫通穴にスペーサ８３を挿通することにより、所定の間隔を維持しつつ、電源部８及びカバー９を一体化してある。スペーサ８３は、樹脂製であり、周方向に複数の係合爪が長手方向に２段に設けてある。このスペーサ８３を固定板部９１の側から押しこむことにより、所定の間隔を維持しつつ、容易に組み立てることができる。なお、固定板部９１の内面には、絶縁シートが設けてあることがより望ましい。絶縁シートにより、回路基板８１のはんだ付け面とカバー９との間を確実に絶縁することができる。また、電源部８及びカバー９の間に、伝熱シートが介装してあることがより望ましい。なお、伝熱シートは、絶縁性を有する熱良導体であり、例えば、フィラーとして金属酸化物を適量含むシリコーン系樹脂製である。カバー９は、電源部８からの熱を放散する電源放熱部を兼ねている。
【００４０】
このように電源部８が取付けられたカバー９は、ヒートシンク１の収容部１５に固定され、該収容部１５の開口部を覆う。即ち、カバー９を収容部１５に固定することにより、電源部８が収容される空間が密閉されることになる。カバー９の取付板部９２には、端子台として、電源部８を介して光源モジュール２に電力を供給する電力線である電源ケーブルが接続される電源用端子台８５と光源モジュール２の調光用の信号線が接続される調光用端子台８６とが取付けてある。
【００４１】
以上のように一体化された照明装置１００は、ヒートシンク１の当接部１４の側を下側にして、被装着部である天井に設けられた取付穴に板ばね７を介して固定され、所謂ダウンライトとして用いられる。
【００４２】
光源モジュール２の点灯に伴い、光源保持部１１に設けられた光源モジュール２が発した熱は、光源保持部１１に伝達され、連設部１２、変更手段保持部１３、当接部１４及び収容部１５等のヒートシンク１の他の部分に伝達される。本実施の形態の照明装置１００を断熱構造でない天井に設置した場合には、ヒートシンク１の他の部分に伝達された熱は、自然対流等により照明装置の周囲の空気に放散される。ヒートシンク１の連設部１２、変更手段保持部１３及び収容部１５から天井内の空気に放熱することができると共に、当接部１４から取付穴の外部、換言すると取付穴から光源モジュールからの光が照射される側である室内の空気に放熱することができる。本実施の形態の照明装置１００を断熱構造である天井に設置した場合には、ヒートシンク１の他の部分に伝達された熱は、主として当接部１４から自然対流等により室内の空気に放散される。なお、電源部８において発生した熱は、カバー９に伝達され、天井内の空気に放散される。
【００４３】
本発明に係る照明装置１００は、該照明装置１００の光の照射方向を変更する照射方向変更手段としての回転部材５及び首振り部材６を、ヒートシンク１の変更手段保持部１３に保持することにより、外装体であるヒートシンク１に対して（ＬＥＤ２２の光出射方向に、ＬＥＤ２２に対して）独立して可動に設けてある。回転部材５を回転させる、及び／又は首振り部材６を図４中に矢符にて示すようにネジ５６の軸回りに回動させることにより、ＬＥＤ２２から出射され、反射板３によって配光特性が制御された光を、首振り部材６の筒部６１の内面６１ａにて反射させて所望の方向に偏向させることができ、照明装置１００の照射方向を自在に変更することができる。
【００４４】
本実施の形態に係る照明装置１００においては、ＬＥＤ２２を有する光源モジュール２が非可動部分となり、可動部分が回転部材５及び首振り部材６のみとなる。可動部分が軽いから、使用者が回転部材５又は首振り部材６を掴んで動かすときに容易に動かすことができ、照射方向を変更する際の使用者の操作性を良好にすることができる。
【００４５】
また、可動部分が軽いから、本実施の形態においては、ヒートシンク１の固定部１３ｃ及びネジ７６という板ばね７をヒートシンク１に固定するための部材を、可動部分を支える部材として共通して用いることができ、可動部分を支える構造を小型化、簡易化することができる。首振り部材６を内面６１ａに反射面を有する筒状に形成してあるから、より軽量化することができ、使用者の操作性を更に良好にすることができる。首振り部材６の軽量化により、首振り部材６をネジ５６により保持することができ、首振り部材６を支持する構造を小型化、簡易化することができる。そして、回転部材５及び首振り部材６という簡易な機構により、照明装置１００の照射方向を変更することができ、部品点数を低減することができる。
【００４６】
また、使用者が掴む可動部分にＬＥＤ２２を含む光源モジュール２が含まれないから、ＬＥＤ２２に電力を供給する電線が可動部分に干渉しないように、また使用者が感電しないように構造を工夫する必要がないから構造を簡易化することができる。
【００４７】
さらに、光源モジュール２が、可動部である照射方向変更手段と独立した別体の非可動部分であるヒートシンク１に設けられている。また、ヒートシンク１は、その一部を構成する光源保持部１１、連設部１２及び変更手段保持部１３が有底筒状の形状であり、底面に相当する光源保持部１１に光源モジュール２を設けてあるため、照射方向変更手段を可動させた場合であっても、照明装置が設置される室内と天井裏の間に空気が流れる通気路が形成されることがない。従って、密閉構造に容易にすることができ、高気密住宅への対応が容易である。なお、本実施の形態において、ヒートシンク１をアルミニウム等の金属で一体的に成形されることにより室内と天井裏の間に通気路が形成されない構成であるが、ヒートシンク１の一部が他の部材で形成されていても、外装体として室内と天井裏の間に通気路が形成されない構成であればよい。
【００４８】
そして、回転部材５及び首振り部材６を有する照射方向変更手段は、ＬＥＤ２２等の発熱体からの熱を放散するヒートシンク１にネジ７６により回転可能に保持してあるだけであるため、回転部材５及び首振り部材６の温度はあまり上昇しないから、使用者が回転部材５又は首振り部材６を掴んで動かすときに不快感を与えずにすむ。
【００４９】
なお、回転部材５及び首振り部材６の形状は、図示した形状に限定されず、照射方向の変更したい角度範囲、照射範囲等に応じて適切に設定される。また、本実施の形態においては、回転部材５及び首振り部材６の両方を備えているが、どちらか一方のみでもよい。また、本実施の形態においては、板ばね７をヒートシンク１に固定するための部材を、可動部分を支える部材として共通して用いているが、これに限定されず、別途設けてもよい。
【００５０】
（実施の形態２）
図６は、本発明の実施の形態２に係る照明装置２００の模式的断面図である。実施の形態１に係る照明装置１００は、回転部材５及び首振り部材６を照射方向変更手段として備えているが、本実施の形態に係る照明装置２００は、２つの回転部材を照射方向変更手段として備えている。
【００５１】
外装体であるヒートシンク１の変更手段保持部１３には、光の照射方向を変更する照射方向変更手段としての第１の回転部材１５０及び第２の回転部材１６０がヒートシンク１に対して独立して可動に保持してある。第１の回転部材１５０は、円筒形状を有する筒部１５１を備えている。筒部１５１の内面１５１ａは、高い反射率を有する反射面に形成してある。筒部１５１の外面１５１ｂの長手方向の略中央には、鍔部１５２が周設してある。なお、鍔部１５２の外径は、ヒートシンク１の変更手段保持部１３の内径よりも若干小さくなるように形成してある。また、筒部１５１の一端側には、ＬＥＤ２２からの光を偏向する光偏向板としての光偏向部１５３が設けてある。光偏向部１５３は、筒部１５１の内部を仕切るように筒部１５１の長手方向に略直交して設けてあり、所定の厚みを有する直角三角柱状の微細な凸部１５３ｃが一面１５３ａに多数形成してなる。光偏向部１５３の一面１５３ａには、この凸部１５３ｃが図６の断面と直交する方向に適長離隔して多数形成してある。また、筒部１５１の内面１５１ａの他端側には、保持部１５４が周方向に適長離隔して設けてある。この保持部１５４は、例えば、ネジであり、第１の回転部材１５０の内部に第２の回転部材１６０を挿入した後に、取付けられる。
【００５２】
第２の回転部材１６０は、筒部１６１を備えている。筒部１６１の内面１６１ａは、高い反射率を有する反射面に形成してある。筒部１６１の外面１６１ｂの長手方向の略中央には、鍔部１６２が周設してある。また、筒部１６１の内側の長手方向の略中央には、光を偏向する光偏向板としての光偏向部１６３が設けてある。光偏向部１６３は、筒部１６１の内部を仕切るように筒部１６１の長手方向に略直交して設けてあり、第１の回転部材１５０の光偏向部１５３と同形状の所定の厚みを有する直角三角柱状の微細な凸部１６３ｃが一面１６３ａに多数形成してなる。
【００５３】
この第２の回転部材１６０は、第１の回転部材１５０の内側に挿入され、ネジ等の保持部１５４を第１の回転部材１５０に取付けることにより、第１の回転部材１５０に保持部１５４にて保持される。
【００５４】
第１の回転部材１５０及び第２の回転部材１６０が一体化された照射方向変更手段をヒートシンク１の変更手段保持部１３の内側に挿入し、板ばね７をヒートシンク１の固定部１３ｃに設けられたネジ用穴にネジ７６を螺合させることにより、ヒートシンク１に固定する。このように板ばね７をヒートシンク１に固定することにより、第１の回転部材１５０は、長手方向がＬＥＤ２２の光出射方向に沿うように、鍔部１５２にてネジ７６に保持されることになる。その他の構成は、図３及び４に示す実施の形態１と同様であるため、対応する構成部材に図３及び４と同一の参照符号を付して、その構成の詳細な説明を省略する。
【００５５】
図７は、実施の形態２に係る照明装置２００の照射方向変更手段による照射方向の変化の説明図である。図７（ａ）は、第１の回転部材１５０の光偏向部１５３の凸部１５３ｃの斜面と第２の回転部材１６０の光偏向部１６３の凸部１６３ｃの斜面とが交差する方向になるように第１の回転部材１５０及び第２の回転部材１６０を位置させている例である。この状態において、ＬＥＤ２２からの光は、図７（ａ）に矢符にて示すように、第１の回転部材１５０の光偏向部１５３の他面１５３ｂに入射し、凸部１５３ｃから出射するときに所定角度偏向し、更に第２の回転部材１６０の凸部１６３に入射し、他面１６３ｂから出射するときに更に同方向に所定角度偏向する。この図７（ａ）の状態の照明装置２００においては、図において右方向に偏向した光が照射光として得られる。
【００５６】
図７（ａ）の状態から、第１の回転部材１５０の光偏向部１５３の凸部１５３ｃの斜面と第２の回転部材１６０の光偏向部１６３の凸部１６３ｃの斜面とが平行になる位置まで、第２の回転部材１６０を回転させる（図７（ｂ）参照）。この状態において、ＬＥＤ２２からの光は、図７（ｂ）に矢符にて示すように、第１の回転部材１５０の光偏向部１５３の他面１５３ｂに入射し、凸部１５３ｃから出射するときに所定角度偏向し、更に第２の回転部材１６０の凸部１６３に入射し、他面１６３ｂから出射するときに逆方向に所定角度偏向する。この図７（ｂ）の状態の照明装置２００においては、図において下方向、換言するとＬＥＤの光出射方向に沿った光が照射光として得られる。
【００５７】
図７（ａ）の状態から、第１の回転部材１５０及び第２の回転部材１６０を一体的に１８０°回転させる（図７（ｃ）参照）。この状態において、ＬＥＤ２２からの光は、図７（ｃ）に矢符にて示すように、図７（ａ）の状態とは反対方向に偏向する。この図７（ｃ）の状態の照明装置２００においては、図において左方向に偏向した光が照射光として得られる。
【００５８】
実施の形態２に係る照明装置２００においては、実施の形態１に係る照明装置１００の構成において得られた効果に加えて、２つの回転部材のみにより照射方向変更手段を構成することにより、更に簡易な機構にすることができ、部品点数を低減することができる。
【００５９】
なお、本実施の形態においては、光偏向部１５３，１６３の凸部１５３ｃ，１６３ｃの形状を直角三角柱状としたが、所定方向に光を偏向することが可能な形状であればよい。
【００６０】
（実施の形態３）
図８は、実施の形態３に係る照明装置３００の模式的断面図である。本実施の形態においては、実施の形態２に係る照明装置２００の光偏向部の形状を異ならせた例を示している。
【００６１】
ヒートシンク１の変更手段保持部１３には、光の照射方向を変更する照射方向変更手段としての第１の回転部材２５０及び第２の回転部材２６０が保持してある。第１の回転部材２５０の筒部１５１の一端側には、ＬＥＤ２２からの光を偏向する光偏向板としての光偏向部２５３が設けてある。光偏向部２５３は、筒部１５１の内部を仕切るように筒部１５１の長手方向に略直交して設けてあり、１軸フレネルレンズが一面２５３ａに形成してなる。第２の回転部材２６０の筒部１６１の内側の長手方向の略中央には、光を偏向する光偏向板としての光偏向部２６３が設けてある。光偏向部２６３は、筒部１６１の内部を仕切るように筒部１６１の長手方向に略直交して設けてあり、第１の回転部材２５０の光偏向部２５３と同形状の１軸フレネルレンズが一面２６３ａに形成してなる。１軸フレネルレンズは、図８の第２の回転部材２６０の光偏向部２６３の断面形状の如く、レンズの曲率だけを平面上に並べてなる断面形状を有しており、この凸部が図８の断面と直交する方向に連続して設けてある、所謂、平面のシリンドリカルレンズであり、一方向のみに集光または拡散するレンズである。その他の構成は、図６に示す実施の形態２と同様であるため、対応する構成部材に図６と同一の参照符号を付して、その構成の詳細な説明を省略する。
【００６２】
（実施の形態４）
図９及び図１０は、実施の形態４に係る照明装置４００の照射方向変更手段による照射方向の変化の説明図である。本実施の形態においては、実施の形態２に係る照明装置３００の光偏向部の形状を異ならせた例を示している。具体的には、光偏向板としての光偏向部３５３，３６３にシリンドリカルレンズ３５３ｃ，３６３ｃを形成している。その他の構成は、図７に示す実施の形態２と同様であるため、対応する構成部材に図７と同一の参照符号を付して、その構成の詳細な説明を省略する。なお、ここでは、シリンドリカルレンズ３５３ｃ，３６３ｃを用いた実施の形態４に係る照明装置４００の照射方向変更手段による照射方向の変化について説明するが、実施の形態３に係る照明装置３００の照射方向変更手段による照射方向の変化についても同様となる。
【００６３】
図９は、第１の回転部材３５０の光偏向部３５３のシリンドリカルレンズ３５３ｃと第２の回転部材３６０の光偏向部３６３のシリンドリカルレンズ３６３ｃとが平行になるように第１の回転部材３５０及び第２の回転部材３６０を位置させている例である（図９（ａ）参照）。この図９（ａ）の状態の照明装置４００においては、図９（ｂ）に示すように、光偏向部３５３，３６３を備えない照明装置の照射光の形状４０１（２点鎖線にて示す）よりも狭い略長楕円状４０２の照射光が得られる。
【００６４】
図１０は、第１の回転部材３５０の光偏向部３５３のシリンドリカルレンズ３５３ｃと第２の回転部材３６０の光偏向部３６３のシリンドリカルレンズ３６３ｃとが略直交する方向になるように第１の回転部材３５０及び第２の回転部材３６０を位置させている例である（図１０（ａ）参照）。この図１０（ａ）の状態の照明装置４００においては、図１０（ｂ）に示すように、光偏向部３５３，３６３を備えない照明装置の照射光の形状４０１（２点鎖線にて示す）よりも小さい円形状４０３の照射光が得られる。
【００６５】
実施の形態３及び実施の形態４に係る照明装置３００，４００においても、実施の形態２に係る照明装置２００と同様に、可動部分を軽量化して、照射方向を変更する際の使用者の操作性を良好にすることができると共に、構造を簡易化することができるという効果が得られる。また、実施の形態１及び２と同様に、光源モジュール２を、可動部である照射方向変更手段と独立した別体の非可動部分であるヒートシンク１に設けているから、照射方向変更手段を操作した場合においても、照明装置が設置される室内と天井裏とを連通する通気路が形成されることがなく、気密性を保つことができ、高気密住宅への対応が容易である。そして、実施の形態３及び実施の形態４に係る照明装置３００，４００においては、照明形状を使用者の好みに応じて、略長楕円、小さい円形状等に変更することができる。
【００６６】
（実施の形態５）
図１１は、本発明の実施の形態５に係る照明装置５００の模式的断面図である。本実施の形態に係る照明装置５００は、実施の形態１に係る照明装置１００とは異なり、電源部と光源を保持するヒートシンクとの間に隙間を設けてある。ヒートシンク１１０は、ＬＥＤ２２を保持する光源保持部１１と、該光源保持部１１に連設して設けられた連設部１２と、光の照射方向を変更する照射方向変更手段である回転部材５及び首振り部材６を保持する変更手段保持部１３と、天井等の被装着部に設けられた取付穴の周縁部に当接する当接部１４とを備えている。ヒートシンク１１０は、光源保持部１１、連設部１２、変更手段保持部１３及び当接部１４が一体的に形成されており、光源を保持する保持体としての機能を有すると共に、照明装置の外装体としての機能を有する。また、光源保持部１１、連設部１２、変更手段保持部１３からなるヒートシンクの一部は、有底筒状の形状であり、底面に相当する光源保持部１１に光源を設けてある。
【００６７】
光源保持部１１を挟んだ変更手段保持部１３の反対側には、ＬＥＤ２２を含む光源モジュール２に電力を供給する電源部８を収容する収容部１２０が、光源保持部１１と所定の隙間Ｌを有して離隔して設けてある。収容部１２０は、光源保持部１１に平行な矩形状の平板部１６と、該平板部１６の外縁に立設された周壁部１７とを有してなる。該収容部１２０の開口部は、電源部８が取付けられたカバー９が収容部１２０に固定されることにより覆われる。収容部１２０とヒートシンク１１０との間には、スペーサ１３０が介装してある。その他の構成は、図４に示す実施の形態１と同様であるため、対応する構成部材に図４と同一の参照符号を付して、その構成の詳細な説明を省略する。
【００６８】
光源モジュール２の点灯に伴い、光源保持部１１に設けられた光源モジュール２が発した熱は、光源保持部１１に伝達され、連設部１２、変更手段保持部１３及び当接部１４等のヒートシンク１１０の他の部分に伝達される。一方、電源部８において発生した熱は、カバー９に伝達され、天井内の空気に放散される。
【００６９】
以上のように構成された照明装置５００においては、収容部１２０とヒートシンク１１０との間（平板部１６の一面１６ａと光源保持部１１の他面１１ｂとの間）に隙間Ｌを設けているから、ヒートシンク１１０と収容部１２０との間に空気層が介在することになる。この空気層の存在により、ＬＥＤ２２からの熱が収容部１２０に伝わりにくくなり、電源部８の放熱をカバー９から効果的に行うことができる。これは、隙間Ｌを適切に設けることにより、収容部１２０とヒートシンク１１０との間に対流が生じない空気層を介在させることができ、空気層が断熱層として機能するためである。なお、隙間Ｌは、５〜１０（ｍｍ）の範囲にあることが好ましい。さらに、隙間Ｌは、約５（ｍｍ）であることがより好ましい。ただし、この部分に対流伝熱を抑制する断熱材等の部材が設置される場合は、この限りではない。また、本実施の形態においても、以上の実施の形態と同様に、可動部分を軽量化して、照射方向を変更する際の使用者の操作性を良好にすることができると共に、構造を簡易化することができるという効果が得られる。また、光源モジュール２を、可動部である照射方向変更手段と独立した別体の非可動部分であるヒートシンク１１０に設けているから、電源部８と光源モジュール２とを接続する電線用の穴をシール材等により密閉することにより、照射方向変更手段を操作した場合においても、照明装置が設置される室内と天井裏とを連通する通気路が形成されないように構成することが可能であり、気密性を保つことができ、高気密住宅への対応が容易である。
【００７０】
（実施の形態６）
図１２は、本発明の実施の形態６に係る照明装置６００の模式的断面図である。本実施の形態に係る照明装置６００は、実施の形態５に係る照明装置５００と同様に電源部と光源を保持するヒートシンクとの間に隙間を設けた他の構成例である。ヒートシンク１１０の変更手段保持部１３には、光の照射方向を変更する照射方向変更手段としての回転部材４６０が保持してある。回転部材４６０は、円板状を有しており、ＬＥＤ２２からの光を偏向する光偏向板としての光偏向部であり、所定の厚みを有する直角三角柱状の微細な凸部４６０ｃが一面４６０ａに多数形成してなる。
【００７１】
光源保持部１１を挟んだ変更手段保持部１３の反対側には、電源部を収容する収容部１４０が、光源保持部１１と所定の隙間Ｌを有して離隔して設けてある。収容部１４０は、光源保持部１１に平行な矩形状の平板部１６と、該平板部１６の外縁に立設された周壁部１７と、該周壁部１７の一部から平板部１６に平行に延設された電源用端子台８５を保持する保持部１８とを有してなる。該収容部１４０の開口部は、電源部１８０ａ，１８０ｂ，１８０ｃが取付けられたカバー１９０が収容部１４０に固定されることにより覆われる。カバー１９０は、固定板部９１と、該固定板部９１の周縁に立設された複数の矩形板状の取付板部９２と、固定板部９１に立設された複数の電源部１８０ａ，１８０ｂ，１８０ｃが固定される複数の電源固定部１９３とを備えてなる。電源固定部１９３と電源部１８０ａ，１８０ｂ，１８０ｃとの間には、熱伝導性部材１８３が夫々介装してある。熱伝導性部材１８３は、絶縁性を有する熱良導体であり、例えば、フィラーとして金属酸化物を適量含むシリコーン系樹脂製である。
【００７２】
本実施の形態においては、複数の電源部１８０ａ，１８０ｂ，１８０ｃと複数のＬＥＤ基板１２１ａ，１２１ｂ，１２１ｃとを各対応付けて配置してある。そして、ＬＥＤ基板１２１ａ，１２１ｂ，１２１ｃと電源部１８０ａ，１８０ｂ，１８０ｃとを各別の電線８７にて接続している。電源部１８０ａ，１８０ｂ，１８０ｃ間と、電源部１８０ｃと電源用端子台８５とを電線８８にて接続している。その他の構成は、図１１に示す実施の形態５と同様であるため、対応する構成部材に図１１と同一の参照符号を付して、その構成の詳細な説明を省略する。
【００７３】
以上のように構成された照明装置６００においては、実施の形態５に係る照明装置５００の構成において得られた効果に加えて、熱伝導性部材１８３を電源固定部１９３と電源部１８０ａ，１８０ｂ，１８０ｃとの間に介装しているから、電源部１８０ａ，１８０ｂ，１８０ｃの放熱をカバー１９０から効果的に行うことができる。また、電源部を複数に分けて、分けた複数の電源部１８０ａ，１８０ｂ，１８０ｃ夫々を、熱伝導性部材１８３を介してカバー１９０の電源固定部１９３に取付けているから、発熱体である電源部１８０ａ，１８０ｂ，１８０ｃ毎の発熱量を押えることができ、また電源部１８０ａ，１８０ｂ，１８０ｃからの熱をカバー１９０に更に伝達しやすくなり、電源部１８０ａ，１８０ｂ，１８０ｃの放熱をカバー１９０から更に効果的に行うことができる。
【００７４】
なお、実施の形態２，３，４，６に係る照明装置においては、光偏向板としての光偏向部を回転部材に設けた構成としているが、これに限定されず、首振り部材に光偏向部を設けてもよいし、実施の形態１及び５に示すように、照射方向変更手段として回転部材及び首振り部材を有する照明装置において、回転部材及び首振り部材夫々に光偏向部を設けるように構成してもよい。以上の実施の形態１から実施の形態６に記載の構成は、複数組み合わせて用いることも可能である。
【００７５】
また、光偏向部は、以上の実施の形態において用いたものに限定されず、光源からの光の方向を変更することが可能な部材及び／又は機構を有しておればよい。また、回転部材、首振り部材等の可動部分を支える部材として、ネジを用いているが、これに限定されない。
【００７６】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）等を用いてもよい。
【００７７】
さらに、以上の実施の形態においては、ダウンライト等の天井に設けた取付穴に設置される埋込型の照明装置を例に説明したが、このような照明装置に限定されず、他のタイプの照明装置にも適用可能であり、その他、特許請求の範囲に記載した事項の範囲内において種々変更した形態にて実施することが可能であることは言うまでもない。
【符号の説明】
【００７８】
１  ヒートシンク（保持体，外装体）
２２  ＬＥＤ（光源）
５，１５０，１６０，２５０，２６０，３５０，３６０，４６０  回転部材（照射方向変更手段）
１５３，１６３，２５３，２６３，３５３，３６３  光偏向部（光偏向版）
６  首振り部材（照射方向変更手段）
【図１】
2011165566.tif 000003
【図２】
2011165566.tif 000004
【図３】
2011165566.tif 000005
【図４】
2011165566.tif 000006
【図５】
2011165566.tif 000007
【図６】
2011165566.tif 000008
【図７】
2011165566.tif 000009
【図８】
2011165566.tif 000010
【図９】
2011165566.tif 000011
【図１０】
2011165566.tif 000012
【図１１】
2011165566.tif 000013
【図１２】
2011165566.tif 000014
【図１３】
2011165566.tif 000015